(57)【特許請求の範囲】
【請求項１】
スタンドが付いていない自転車に着脱自在に取り付ける自転車用の携帯型スタンドについて、ペダル軸を挟持する挟持部と地面に接地する脚部と、挟持部と脚部を連結する支柱とからなり、停止した自転車のペダルクランクを地面に対し略垂直とし、最高位置のペダルのペダル軸を、クランプ機能を設けた挟持部で挟み脚部を接地して自転車を立てておく携帯型スタンド。  
【請求項２】
脚部が支柱に収納可能とした請求項1の携帯型スタンド。
【発明の詳細な説明】
【技術分野】
【０００１】
本発明は、自転車のペダルに手軽に脱着できる携帯型スタンドに関する。
【背景技術】
【０００２】
スタンドとは、二輪で自立できない自転車を立てたまま保持するための部品であるが、スポーツ自転車、なかでも高額なロードバイクでは、スタンドが付いていないものを多く見かける。
その理由として、「スタンドの重さが走行のネックになる。」、「スタンドを付けることによりデザイン性が低下する。」、「左右のバランスが維持できない。」等の理由が挙げられているが、「スタンドを付けるとフレーム本体に傷がつく、あるいはフレームが歪む。」というのが主な理由だそうである。しかし、スタンドがない自転車では、ラック等がある専用の駐輪場に駐輪する場合を除いて、建物の壁に立てかけたり、街路樹につなげたり、あるいは地面にそのまま寝かせたりして、往来する人には迷惑となっている。こうしたこともあって、駅前等の公の駐輪場では、スタンドのない自転車は駐輪禁止となっている場合も多い。
【０００３】
そこで、スタンドが付いていない自転車では、自転車には付いていないが、自転車の使用者が携帯する携帯型スタンドが必要である。携帯型スタンドとは、自転車に常時直接付けられているものではなく、脱着自在であり、駐輪するときにだけ使用して自転車を立て、使用後は自転車とは分離して、自転車の使用者が携帯するものである。
【０００４】
こうした携帯型スタンドは、スポーツ自転車の愛好者の間で需要が高まっている。携帯型スタンドについての先行技術を調査すると以下のような出願が見受けられる。
自転車のクランクの長手方向に挿抜自在に外嵌するチヤンネル形状の本体支柱を具備し、本体支柱の挿抜側端部の中央にはペダル軸挿入溝が形成され、その内側には、クランク先端部を保持するクランク先端受金が付けられ、使用時には略Ｖ字状に拡がり、不使用時には折り畳み可能な接地ステーが連設された自転車用スタンド(特許文献１)、ペダルの前後部の夫々に、ステー支持手段で上下回動自在に支持された接地ステーを具備し、接地ステーは、支持された部位を支点に回動することによって、回動端がペダル近傍に位置した収納姿勢と前記ペダル近傍から離れた使用姿勢とに変化する構成である自転車用スタンド(特許文献２)、自転車の前輪のハブ軸近傍に回動可能に配設される支柱部、及び支柱部から延設される接地部を有し、支柱部が支柱部の回動中心から略垂直下方に延び、接地部が接地することによりその自転車を支える駐輪姿勢と、支柱部が支柱部の回動中心から略水平後方に延びる解除姿勢との間で姿勢変化可能な両脚スタンドを備える自転車用スタンド(特許文献３)等他がある。
【先行技術文献】
【特許文献】
【０００５】
【特許文献１】特許公開２０１０−１２６１５２号公報
【特許文献２】特許公開２０１０−１１１３６９号公報
【特許文献３】特許出願２００９−２０３８０２号公報
【０００６】
長年金属製の家具等の製造販売に携わってきた本発明者は、安価で使い易い携帯型スタンドが出来ないか自転車愛好者から言われていた。前記各先行技術をみると、特許文献１の自転車用スタンドでは、地面から最も近い位置、すなわち最下位置にあるペダルに自転車用スタンドを取り付けるため、安定性が低く、強風で自転車が倒れてしまう可能性があること、特許文献２の自転車用スタンドでは、構造が複雑であり、ペダルに自転車用スタンドを取り付けするのに手間がかかること、特許文献３の自転車用スタンドでは、その形状から簡単に携帯できるとはいえない等の難点があった。
そこで、本発明者は、かかる難点を少しでも解消でき、安価で取り付け操作が簡単であり倒れにくい安定した自転車の携帯型スタンドを試行錯誤しながら発明した。
【発明の概要】
【発明が解決しようとする課題】
【０００７】
本発明の解決しようとする課題は、スタンドが付いていない自転車の使用者が、常時携帯でき、安価で取り付け操作が簡単で倒れにくい脱着自在の携帯型スタンドを提供することである。
【課題を解決するための手段】
【０００８】
すなわち、第１の発明は、スタンドが付いていない自転車に着脱自在に取り付ける自転車用の携帯型スタンドについて、ペダル軸を挟持する挟持部と地面に接地する脚部と、挟持部と脚部を連結する支柱とからなり、停止した自転車のペダルクランクを地面に対し略垂直とし、最高位置のペダルのペダル軸を挟持部で挟み脚部を接地して自転車を立てておく携帯型スタンドである。
【０００９】
脱着自在に取り付けるとは、工具等を用いて自転車に取り付けるのではなく、手で簡単に取り付けたり、外したりできることをいう。携帯型としたのは、スタンドが付いていない自転車の使用者が常時持ち運びできるようなものであることをいい、使用者の身に付ける場合だけでなく、自転車のフレーム等に付けている場合もある。
ペダルクランクは、自転車の左右に直線上に連結され、その端にペダル軸が付き、このペダル軸にペダルが回転可能に装着される。ペダルクランクとペダルとの間には隙間があり、その隙間に携帯型スタンドの挟持部を挿入しペダル軸を挟持する。ペダル軸を挟持するとしたのは、ペダル軸は強度があり、傷が付き難いためである。挟持部は、ペダル軸を固定するため、Ｕ字形あるいは左右からはさむクランプとなっている。ペダル軸の径は、所定の強度を必要とするため、メーカーが異なる自転車であっても、一定の範囲内にあり、挟持部の形状は自転車の種類により変える必要はない。
図１にペダルクランク５１とペダル５３を示し、図２に、ペダルクランク５１とペダル５３とその間にあるペダル軸５２を示す。
【００１０】
図１に示すようにペダルクランク５１を地面に対し略垂直にして、地面から最も遠い位置、すなわち最高位置にあるペダルのペダル軸を挟持部で挟み脚部を接地して自転車を立てておく。最高位置としたのは、自転車を支持する携帯型スタンドで自転車の支持点を地面より最も高い位置にして、安定して立てておくためである。
【００１１】
続いて、第２発明は、挟持部にクランプ機能を設けた第１発明の携帯型スタンドである。
【００１２】
クランプ機能とは、棒状の物を締め付けて固定する働きをいい、ここでは、挟持部がペダル軸を締め付け固定する機能を有することをいう。挟持部を左右からペダル軸を挟むクランプ形とし、ペダル軸を締め付けて固定し安定して自転車を立てておくためである。クランプ機能には、バネクランプ、クイッククランプ等各方法があるが、その方法は問わない。
また、クランプ機能には、施錠を付けることもできる。自転車の盗難を防ぐためである。
【００１３】
続いて、第３の発明は、脚部が支柱に収納可能とした第1又は第２発明のいずれかの携帯型スタンドである。
【００１４】
携帯型スタンドであり、持ち運びし易いため、できるだけコンパクトにする必要がある。脚部は安定して自転車を立てておくため、接地脚を2本とし、所定の角度に拡げて接地することが好ましく、この接地脚を支柱に収納可能とするようにしたものである。そのため、支柱は、筒状となっていて、支柱の内側に接地脚が入る構造となる。なお、支柱は円筒形、多角筒形であるかを問わない。
【発明の効果】
【００１５】
第１発明では、スタンドが付いていない自転車に、安価で取り付け操作が簡単であり倒れにくい安定した携帯型スタンドを提供でき、場所を問わず駐輪することができ、自転車が傷つくこともなく、往来者等への迷惑も減ずることができる利点がある。第２発明では、携帯型スタンドの挟持部がペダル軸を締め付けて固定するため、より安定して自転車を立ててことができる。第３発明では、携帯型スタンドがコンパクト化され、持ち運びがし易くなる。
【図面の簡単な説明】
【００１６】
【図１】図１は、自転車のペダルクランク及びペダルの概略図であり、ペダルの最高位置及び最低位置を示す。
【図２】図２は、ペダルクランク、ペダル軸、ペダル及びペダルクランクとペダルの隙間を示す。
【図３】図３は、試作品の携帯型スタンドを示す。
【図４】図４は、携帯型スタンドを使用して自転車を立たせた図を示す。
【図５】図５は、図４と同じ携帯型スタンドを使用して自転車を立たせた図を示す。（撮る角度を変えている。）
【図６】図６は、図４と同じ携帯型スタンドを使用して自転車を立たせた図を示す。（撮る角度を変えている。）
【図７】図７は、挟持部にクランプ機能を設け、接地脚を支柱に収納可能とした携帯型スタンドの概略図である。
【図８】図８は、挟持部にクランプ機能を設け、接地脚を支柱に収納可能とした試作品の携帯型スタンドである。
【発明を実施するための形態】
【００１７】
以下に本発明の実施例を示す。
【実施例１】
【００１８】
図３は、試作した携帯型スタンド１の図である。携帯型スタンド１は、挟持部２、支柱３及び脚部４から構成されている。挟持部２は、ペダル軸５２を挟持するため、Ｕ字型となっている。脚部４は、2本の接地脚４１により構成されている。支柱３は断面が略長方形の筒状となっている。
図4、図５及び図７は、試作した携帯型スタンド１を用い、自転車を立たせている図である。ペダル５３を図１に示すように略最高位置に置き、ペダルクランク５１とペダル５３の隙間５４に携帯型スタンド１のＵ字型の挟持部２を挿入しペダル軸５２を挟持し、携帯型スタンド１の接地脚４１を接地させて自転車を立てさせている。
【実施例２】
【００１９】
図７は、挟持部２にクランプ機能を設け、接地脚を支柱に収納可能とした携帯型スタンド１の概略図である。図７(Ａ)は、クランプ２１を閉じ接地脚を収納した図であり、(Ｂ)はクランプ２１が開き、接地脚４１が支柱３より引き出され開いている図である。
図８は、挟持部２にクランプ機能を設け、２本の接地脚４１を支柱３に収納可能とした試作品の携帯型スタンド１の図である。2本の接地脚４１は支柱３に収納されている。なお、本試作品では、施錠機能は有していない。
【産業上の利用可能性】
【００２０】
スポーツ自転車では、自転車にスタンドが直接取り付けられていることが少なく、駐輪時には建物の壁や街路樹に立てかけたり、横倒しにして置く等して往来者に迷惑がかかることが少なくない。また自転車自体も傷つく恐れが多い。本発明の携帯型スタンドは、安価に生産でき取り扱いも容易であることから、かかる弊害を解消できるため、自転車愛好者の需要が期待される。
【符号の説明】
【００２１】
１  携帯型スタンド  
２  挟持部  ２１  クランプ
３  支柱  
４  脚部  ４１  接地脚
５    自転車    ５１  ペダルクランク  ５２  ペダル軸  ５３  ペダル  
５４  ペダルクランクとペダルの隙間  
【図１】
0005766581.tif 000002
【図２】
0005766581.tif 000003
【図３】
0005766581.tif 000004
【図４】
0005766581.tif 000005
【図５】
0005766581.tif 000006
【図６】
0005766581.tif 000007
【図７】
0005766581.tif 000008
【図８】
0005766581.tif 000009